(57)【要約】本発明は、ワイパアーム（１０）を備えたウインドシールドワイパであって、ワイパアーム（１０）の自由な端部の側部に、長手方向（７２）およびワイパブレード（２４）に対して横方向に延びる、ワイパブレード（２４）を枢着結合するためのピン（２２）が固定されており、該ピン（２２）が、ワイパブレード（２４）の貫通開口内に差し込まれており、かつ取り付けられた位置でブリッジ（１２）によって軸方向でロックされており、該ブリッジ（１２）が、ピン（２２）に対して平行にワイパアーム（１０）に配置されており、かつ折り曲げられた端部（１４）によってワイパブレード（２４）を上から係合している形式のものに関する。ワイパブレード（２４）が、センタフレーム（２６）を備えた支持フレームシステムを有しており、センタフレーム（２６）が、懸吊ボックス（２８）を有しており、該懸吊ボックス（２８）の両側壁（３０）が、ヒンジピン（３２）によって互いに結合されており、かつ長手方向（７２）でヒンジピン（３２）に対してずらされた、少なくとも１つの貫通孔（３４）をそれぞれ有していて、上方から懸吊ボックス（２８）内に、下方に向かって開いたほぼＵ字形の横断面を有する、プラスチックから成るアダプタ（３８）が挿入されており、該アダプタ（３８）のカバー壁（４０）のカラー（４２）の側部が、側壁（３０）を越えて突出しており、かつブリッジ（１２）の範囲に側部の案内面（４４）を形成しており、該案内面（４４）に、ブリッジ（１２）の接触面（２０）と折り曲げられた端部（１４）とが、取り付けられた状態で接触しており、互いに向かい合って位置する両側壁（４６）に、スリット（４８）によってばね舌片（５０）が形成されており、該ばね舌片（５０）に、管状の支承管片（５２）が一体成形されており、該支承管片（５２）が貫通孔（３４）に嵌め込まれ、かつ該貫通孔（３４）内にピン（２２）が支承されている。
2005511409.tif 000002
【特許請求の範囲】
【請求項１】
ワイパアーム（１０）を備えたウインドシールドワイパであって、ワイパアーム（１０）の自由な端部の側部に、長手方向（７２）およびワイパブレード（２４）に対して横方向に延びる、ワイパブレード（２４）を枢着結合するためのピン（２２）が固定されており、該ピン（２２）が、ワイパブレード（２４）の貫通開口内に差し込まれており、かつ取り付けられた位置でブリッジ（１２）によって軸方向でロックされており、該ブリッジ（１２）が、ピン（２２）に対して平行にワイパアーム（１０）に配置されており、かつ折り曲げられた端部（１４）によってワイパブレード（２４）を上から係合している形式のものにおいて、ワイパブレード（２４）が、センタフレーム（２６）を備えた支持フレームシステムを有しており、センタフレーム（２６）が、懸吊ボックス（２８）を有しており、該懸吊ボックス（２８）の両側壁（３０）が、ヒンジピン（３２）によって互いに結合されており、かつ長手方向（７２）でヒンジピン（３２）に対してずらされた、少なくとも１つの貫通孔（３４）をそれぞれ有していて、上方から懸吊ボックス（２８）内に、下方に向かって開いたほぼＵ字形の横断面を有する、プラスチックから成るアダプタ（３８）が挿入されるようになっており、該アダプタ（３８）のカバー壁（４０）のカラー（４２）の側部が、側壁（３０）を越えて突出しており、かつブリッジ（１２）の範囲に側部の案内面（４４）を形成しており、該案内面（４４）に、ブリッジ（１２）の接触面（２０）と折り曲げられた端部（１４）とが、取り付けられた状態で接触しており、互いに向かい合って位置する両側壁（４６）に、スリット（４８）によってばね舌片（５０）が形成されており、該ばね舌片（５０）に、管状の支承管片（５２）が一体成形されており、該支承管片（５２）が貫通孔（３４）に嵌め込まれ、かつ該貫通孔（３４）内に、ピン（２２）が支承されていることを特徴とする、ウインドシールドワイパ。
【請求項２】
アダプタ（３８）のカバー壁（４０）が、ブリッジ（１２）の範囲に横方向に延びる凹設部（５４）を有しており、該凹設部（５４）の深さが、ブリッジ（１２）の材料厚さに合うように調整されている、請求項１記載のウインドシールドワイパ。
【請求項３】
カバー壁（４０）の内側にクリップ（５８）が設けられており、該クリップ（５８）の係止突起（６０）が、取り付けられた状態でヒンジピン（３２）を把持する、請求項１又は２記載のウインドシールドワイパ。
【請求項４】
クリップ（５８）が、カバー壁（４０）に堅固に結合されている、請求項３記載のウインドシールドワイパ。
【請求項５】
アダプタ（３８）の端壁（５６）に対して平行に、隔壁（６２）が配置されており、該隔壁（６２）が、側壁（４６）と共にボックス状の中空プロフィール（７４）を形成しており、該中空プロフィール（７４）の範囲内の、側壁（４６）の外側に案内リブ（６４）が配置されている、請求項１から４までのいずれか１項記載のウインドシールドワイパ。
【請求項６】
隔壁（６２）とばね舌片（５０）との間の側壁（４６）が、下方に向かって開いたスリット（６８）または切欠き（７０）を有している、請求項５記載のウインドシールドワイパ。
【請求項７】
カバー壁（４０）のカラー（４２）内に溝（６６）が設けられており、該溝（６６）内に、取り付けられた状態で懸吊ボックス（２８）の側壁（３０）が嵌め込まれる、請求項１から６までのいずれか１項記載のウインドシールドワイパ。
【発明の詳細な説明】
【０００１】
先行技術
本発明は、請求項１の上位概念部に記載のワイパアームを備えたウインドシールドワイパに関する。
【０００２】
公知のウインドシールドワイパはワイパアームを有しており、このワイパアームはワイパ軸に載置されている。このワイパ軸は、ワイパモータによって駆動される。ワイパアームの自由な端部には、ワイパブレードが枢着結合されている。このワイパブレードは、通常は複数部材からなる、センタフレームを備えた支持フレームシステムを有している。前記支持フレームシステムには、下方に配置された複数のフレームが枢着結合されており、これらのフレームのうち、端部にかぎ爪を備えた少なくとも幾つかのものは、ワイパ条片を保持している。さらに枢着部のないワイパブレードも公知である。これらのワイパブレードは、支持フレームシステムの代わりに、自動車ウインドシールドガラスに対して垂直にばね緩衝する弾性的な支持エレメントを有している。この支持エレメントはプラスチックにより製造されている。ばね特性を改善するために、前記支持エレメントは少なくとも１つの、ばね鋼からなるばね軌道を有している。支持エレメントは負荷されていない状態では自動車ウインドシールドガラスよりも強い湾曲を有していて、ワイパ条片がワイパアームの押圧力下で適宜な圧力配分で自動車ウインドシールドガラスに当接するようになっている。
【０００３】
枢着部のないワイパブレードは極めて低い構成になっており、このことは走行気流中でのワイパブレードの流体技術的な特性および騒音発生に関連して極めて好都合である。ドイツ連邦共和国特許出願公開第１９９２４６６２号明細書に基づき、枢着部のないワイパブレードを備えたウインドシールドワイパが公知である。このワイパブレードは、いわゆる「サイドロックシステム」を介してワイパアームに枢着結合されている。このために、自動車ウインドシールドガラスに向かって開いたＵ字形のプロフィールを有するワイパアームの自由な端部にはピンが設けられており、このピンは側部で、ワイパアームの長手方向およびワイパブレードに対して横方向に延びるようにリベット留めされている。ピンは、ワイパブレードの支持エレメントに堅固に結合された結合部材の支承孔内に、旋回可能に支承されている。
【０００４】
ワイパアームに設けられたピンに対して平行に長手方向でずらされて、ブリッジが配置されている。このブリッジの自由な端部は、ピンの側部に向かって折り曲げられている。ワイパブレードが、ワイパアームの長手方向に対して横方向に保持される取付け位置で、ピンを結合部材の支承孔内に押し込むことができる。次いで、ワイパブレードがワイパアームの長手方向に対して平行になるまで旋回されると、ブリッジはワイパブレードを上から係合し、このワイパブレードをブリッジの折り曲げられた端部によってロックし、これにより、ワイパブレードは、取り付けられた状態で、ブリッジの折り曲げられた端部とワイパアームとの間のピンに沿って案内される。ブリッジはワイパブレードの作動位置で結合部材の対応する溝内に進入し、結合部材の上側とほぼ同一平面を成す。取り外しのために、ワイパブレードは、折り曲げられた端部の係合からはずれており、かつワイパブレードをピンから引き出すことができるところまで、反対方向に旋回されなければならない。
【０００５】
米国特許出願公開第４９８０９４４号明細書に基づき、円筒状のアダプタを備えた別のサイドロックシステムが公知である。このサイドロックシステムは、種々異なるピン直径を補償するために働く。アダプタは、このアダプタの外側輪郭に対して偏心的に配置された支承孔を有している。この偏心性は、この場合、アダプタの周面の範囲に、貫通する長手方向スリットが生じるように選択されている。アダプタは、取付けのために押し縮められ、ワイパ条片支持体のＵ字形のフレームに設けられた２つの開口内に接合される。通されたあとで、アダプタは再びもとの形状を取り、アダプタの周面で、Ｕ字形プロフィールの脚部に設けられた開口を押圧する。Ｕ字形プロフィールのベース面に配置されており、長手方向スリット内に嵌め込まれるばねクリップが、アダプタを旋回に対して確保する。さらに、ばねクリップがアダプタを軸方向で保持するように、ばねクリップはアダプタの側部のショルダで支持される。次の取り付けステップでは、ワイパアームの自由な端部に固定されたピンが貫通孔内に嵌め込まれる。
【０００６】
発明の利点
本発明によれば、ワイパブレードがセンタフレームを備えた支持フレームシステムを有している。センタフレームは懸吊ボックスを有しており、この懸吊ボックスの両側壁は、ヒンジピンによって互いに結合されており、長手方向で見て、ヒンジピンに対してずらされた、少なくとも１つの貫通孔をそれぞれ有している。このような、それ自体は一般的なワイパブレードが次のようなワイパアームと共に使用される。すなわち、このワイパアームの鉤状の端部が上方から懸吊ボックス内に係合し、ワイパアームがアダプタを用いてヒンジピンを把持するか、または、２つのロックピンによって、互いに向かい合って位置する貫通孔内に係合するようになっている。
【０００７】
本発明によれば、下方に向かって開いていてほぼＵ字形の横断面を有する、プラスチックから成るアダプタが、上方からワイパブレードの懸吊ボックス内に挿入されている。このアダプタのカバー壁のカラーの側部は、懸吊ボックスの側壁を越えて突出しており、ブリッジの範囲で側部の案内面を形成している。この案内面には、ワイパアームの接触面とブリッジの折り曲げられた端部とが、取り付けられた状態で接触し、ワイパブレードをピンの軸方向で案内する。さらに、アダプタの、互いに向かい合って位置する両側壁は、スリットによってばね舌片を形成しており、これらのばね舌片に管状の支承管片が一体成形されている。これらの支承管片は、貫通孔内に嵌め込まれ、ピンでワイパブレードを旋回可能に支承するために働く。アダプタのカラーは懸吊ボックスの両側壁で支持され、貫通孔内で旋回できないようになっている。この場合に、側壁はそれぞれ、有利にはカラー内に設けられた溝内に係合する。付加的に、アダプタはクリップによって保持することができる。このクリップの内側は、有利にはカバー壁と堅固に結合されており、取り付けられた状態で、クリップの係止突起がヒンジピンを把持する。これにより、ワイパブレードにアダプタが非常に安定性良く拘束されるので、ワイパブレードの良好な案内が保証されている。
【０００８】
本発明によるアダプタによって、自由な端部にサイドロックシステムのための横方向ピンが設けられたワイパアームを、支持フレームシステムを備えたワイパブレードのためにも使用することができる。風切り音と流体抵抗とに関連して、サイドロックシステムの平らで低い構成に結びついた利点が、簡単な手段で支持フレームシステムを備えたワイパブレードにおいても得られる。さらに、通常は金属すなわち薄板により製造されたワイパアームの部分とワイパブレードの部分とが、プラスチックから成るアダプタによって互いに隔離されているので、運動ノイズおよび摩耗が最小限に抑えられる。この場合、有利には、ワイパアームおよびワイパブレードの形状および寸法は保持されるので、構成部材を製造するために、構造上の変更若しくは新い工具は必要とならない。
【０００９】
アダプタは上方から懸吊ボックス内に挿入され、この場合に、アダプタの側壁が懸吊ボックスの内側に接触する。端部の範囲で規定の接触面を得るために、側壁の外側には案内リブが配置されている。これらの案内リブは、ボックス状の中空プロフィールによって支持される。この中空プロフィールは、端壁、側壁の部分、そして端壁に対して平行に延びる隔壁によって形成されており、堅固な支持部を為している。側壁の、支承管片を備えた、弾性的にたわみ可能なばね舌片を有する部分は、切り込み若しくは切欠きによって中空プロフィールから切り離されており、支承管片を貫通孔に簡単に嵌め込むことができるようになっている。
【００１０】
目的に合わせてアダプタはプラスチックにより製造されており、有利には、射出成形行程中に、必要な精度を備えた全ての成形エレメントが成形される。さらに、プラスチックは一般に良好な滑り特性を有している。このことは、本発明によるアダプタでは管状の管片において重要である。なぜならば、ここにワイパアームのピンが旋回可能に支承されているからである。さらに、プラスチックにより製造されたアダプタが間に配置されることによって、ワイパアームの金属製の表面とワイパブレードの金属性の表面との間の不都合な接触を回避することができる。
【００１１】
図面
別の利点が、次の図面の説明に明らかである。図面には、本発明による実施例が示されている。図面、説明、請求項には多くの特徴が組合せられている。当業者は特徴を目的に合わせて個々に考察し、有意義な別の組合せを行うことができる。
【００１２】
実施例の説明
ウインドシールドワイパのうち、ワイパアーム１０の部分およびワイパブレード２４（図１）の部分のみが、本発明を理解するために必要な範囲で示されている。ワイパアーム１０は、Ｕ字形のプロフィール１６を有している。このＵ字形のプロフィール１６の脚部１８の側部には、長手方向７２およびワイパブレード２４に対して横方向へ延びるピン２２が固定されており、これにより、ワイパブレード２４をサイドロックシステムに基づいて取り付けることができるようになっており、かつウインドシールドワイパの低い構成高さが得られる。さらに、ワイパアーム１０の自由な端部には、ブリッジ１２が一体成形されている。このブリッジ１２は、ピン２２に対して平行に、長手方向７２でこのピン２２に対して相対的にずらされて配置されており、かつ折り曲げられた端部１４を有している。ワイパブレード２４は、支持フレームシステムを有しており、この支持フレームシステム２６のうち、センタフレーム２６が示されている。このセンタフレーム２６は懸吊ボックス２８を有しており、この懸吊ボックスの両側壁３０はヒンジピン３２によって互いに結合されている。さらに、ヒンジピン３２の両方の側に対して長手方向６４でずらされて、両側壁３０内には、互いに向かい合って位置する２つの貫通孔３４がそれぞれ配置されている。
【００１３】
ワイパブレード２４はアダプタ３８によってワイパアーム１０に結合されている。アダプタ３８は、カバー壁４０と両側壁４６とによるほぼＵ字形の横断面を有している。前記アダプタ３８は下方に向かって開いており、端部は端壁５６によって閉じられている。これらの端壁４６は、取付けられた状態で、アダプタ３８の側壁４６が懸吊ボックス２８の側壁３０で支持されるように位置決めされている。安定した支持部を得るために、端壁５６に対して間隔を置いて、隔壁６２が設けられている（図３）。この隔壁６２は、端壁５６と側壁４６の部分と共に、形状剛性的な中空プロフィール７４を形成している。アダプタ３８を懸吊ボックス２８内により簡単に嵌め込むことができるように、中空プロフィール７４の範囲の、側壁４６の外面には、端壁５６に対して平行に延びる案内リブ６４が設けられている。
【００１４】
下方に向かって開いたスリット６８または切欠き７０が、中空プロフィール７４の範囲を側壁４６の他の範囲から隔離している。この他の範囲には、ばね舌片５０が設けられている。このばね舌片５０は、アーチ形のスリット４８によって、側壁４６内に形成されている。ばね舌片５０は、外側方向に延びるピン２２のための支承管片５２を有している。これらの支承管片５２は、アダプタ３８を取り付ける場合にばね弾性的に内側方向へ逃れ、懸吊ボックス２８の貫通孔３４内に嵌め込むことができる。貫通孔３４と支承管片５２との間の接触面を拡大するために、貫通孔３４は外側方向に向いた縁部３６を有している。これによって、支承管片５２における面圧が減じられる。
【００１５】
カバー壁４０の側部は、取り付けられた状態で、カバー壁４０のカラー４２が、懸吊ボックス２８の側壁３０の上側の縁部を覆うところまで、側壁４６を越えて突出しており、この場合、側壁３０はカラー４２の溝６６内に進入する。カラー４２によって、アダプタ３８は懸吊ボックス２８で支持され、これにより、ワイパブレード２４の旋回軸を中心とした旋回に対して確保（固定）されている。
【００１６】
カバー壁４０の外側は凹設部５４を有しており、この凹設部５４の深さはブリッジ１２の材料厚さに合うように調整されている。これにより、ブリッジ１２は取り付けられた状態で凹設部５４内に嵌め込まれ、ブリッジ１２の外側表面はカバー壁４０の外側表面とほぼ同一平面に並ぶことができる。このことにより、流体技術的な利点および外観上の利点が得られる。カラー４２は凹設部５４の延在に適合しており、この範囲のカラー４２の外側に案内面４４を有している。この案内面４４は、取り付けられた状態で、アダプタ３８の一方の側ではワイパアーム１０の接触面２０に接触しており、アダプタ３８の他方の側ではブリッジ１２の折り曲げられた端部１４に接触している。カバー壁４０から内側方向へ向かって、アダプタ３８はクリップ５８を有している。取り付けられた状態で、このクリップ５８の係止突起６０は、ワイパ２４のヒンジピン３２を把持する。
【００１７】
取付けに際して、アダプタ３８は上方から懸吊ボックス２８内に挿入され、この場合に、支承管片５２が貫通孔３４内に嵌め込まれ、クリップ５８がヒンジピン３２に嵌め込まれる。これによって、アダプタ３８とワイパブレード２４との間に安定性良い結合が生ぜしめられる。したがって、ワイパ２４の良好な案内が保証されている。ワイパブレード２４は取り付けられたアダプタ３８と共に、ワイパブレード２４の回転軸線を中心として、ワイパブレード２４がワイパアーム１０の長手方向７２に対してほぼ垂直になるまで旋回させられる。この位置で、ワイパブレード２４がワイパアーム１０のピン２２に押し嵌められる。次いで、ワイパアーム１０は、出発位置に戻るように旋回させられる。この出発位置では、ワイパブレード２４はワイパアーム１０の長手方向７２に対してほぼ平行に延びている。この位置で、ブリッジ１２がワイパブレード２４を上から係合し、かつアダプタ３８の凹設部５４内に進入する。このときブリッジ１２の外側表面とアダプタ３８の外側表面とは、ほぼ同一平面上にある。同時に、ブリッジ１２の折り曲げられたの端部１４は、アダプタ３８の対応配置された案内面４４に接触し、これにより、枢着結合部を軸方向で係止する。
【図面の簡単な説明】
【図１】
ワイパアームとワイパブレードの間の枢着結合部の解体図である。
【図２】
アダプタの上方からの斜視図である。
【図３】
アダプタの下方からの斜視図である。
【図１】
2005511409.tif 000003
【図２】
2005511409.tif 000004
【図３】
2005511409.tif 000005
【国際調査報告】
2005511409.tif 000006
2005511409.tif 000007
2005511409.tif 000008
2005511409.tif 000009
2005511409.tif 000010
2005511409.tif 000011